(57)【要約】【課題】電源線を電源端子台に取り付けやすい構造の照明器具を提供する。【解決手段】照明器具５００において、電源穴１１４および固定穴１１５を通る仮想の第１直線Ｌ１により底部１１７の取付面１７０を２つの領域Ａ１，Ａ２に区切ったとする。常用点灯装置１２０の長尺方向の両端から第１直線Ｌ１まで垂線Ｌ４，Ｌ５を引いたとする。常用点灯装置１２０は、２つの領域Ａ１，Ａ２のうち一方の領域Ａ１に、常用点灯装置１２０の長尺方向に沿って延びる中心線Ｌ２が第１直線Ｌ１と交差する角度で取り付けられている。中心線Ｌ２は、電源穴１１４を通って第１直線Ｌ１と直交する仮想の第２直線Ｌ６と領域Ａ１で交差するものとする。電源端子台１５０は、２つの領域Ａ１，Ａ２のうち常用点灯装置１２０と同じ領域Ａ１の、常用点灯装置１２０の長尺方向の両端のうち垂線が長い方の端の近くに取り付けられている。【選択図】図７
2019003748.tif 000002
【特許請求の範囲】
【請求項１】
電源線により外部の電源に電気接続された状態、かつ、固定具により外部の部材に固定された状態で使用される照明器具において、
部品を取り付けるための取付面が形成された底部を有し、前記電源線を引き込むための電源穴と、前記固定具を挿し込むための固定穴とが前記底部の取付面に貫通している器具本体と、
前記電源穴および前記固定穴を通る仮想の第１直線により前記底部の取付面を２つの領域に区切ったとして、前記２つの領域のうち一方の領域に、長尺方向に沿って延びる中心線が前記第１直線と交差する角度で取り付けられ、前記中心線が、前記電源穴を通って前記第１直線と直交する仮想の第２直線と前記一方の領域で交差する長尺状の点灯装置と、
前記点灯装置の長尺方向の両端から前記第１直線まで垂線を引いたとして、前記２つの領域のうち前記点灯装置と同じ領域の、前記点灯装置の長尺方向の両端のうち前記垂線が長い方の端の近くに取り付けられ、前記電源線を介して供給される電力を前記点灯装置に出力する電源端子台と
を備える照明器具。
【請求項２】
前記底部の取付面は、円形状に形成され、
前記電源穴は、前記底部の取付面の中心に貫通している請求項１に記載の照明器具。
【請求項３】
前記底部の取付面において、前記電源端子台の中心は、前記第１直線と前記中心線と前記垂線とによって形成される矩形領域の外にある請求項１または２に記載の照明器具。
【発明の詳細な説明】
【技術分野】
【０００１】
本発明は、照明器具に関するものである。
【背景技術】
【０００２】
特許文献１には、光源として円形の蛍光灯を内蔵した防湿型または防水型の照明器具が記載されている。
【先行技術文献】
【特許文献】
【０００３】
【特許文献１】特開平１０−１７２３１２号公報
【発明の概要】
【発明が解決しようとする課題】
【０００４】
特許文献１に記載されているような照明器具の構造を、光源としてＬＥＤ等の発光素子を内蔵した照明器具にそのまま適用した場合、グローブを取り外すだけでユーザが発光素子に触れることが可能になる。そのため、発光素子の不具合が発生しやすくなってしまう。
【０００５】
特許文献１に記載されているような照明器具の構造を、停電等の非常時に点灯する非常用照明器具に応用しようとした場合、バッテリ、バッテリで光源を点灯させる点灯装置、および、電源線を接続するための電源端子台といった電子部品を、防湿または防水対策が施されたグローブ内に格納する必要がある。そのため、照明器具の高さが高くなってしまう。また、電源線を電源端子台に取り付けるための作業スペースが小さくなり、施工性および作業性が低くなってしまう。
【０００６】
本発明は、電源線を電源端子台に取り付けやすい構造の照明器具を提供することを目的とする。
【課題を解決するための手段】
【０００７】
本発明の一態様に係る照明器具は、
電源線により外部の電源に電気接続された状態、かつ、固定具により外部の部材に固定された状態で使用される照明器具において、
部品を取り付けるための取付面が形成された底部を有し、前記電源線を引き込むための電源穴と、前記固定具を挿し込むための固定穴とが前記底部の取付面に貫通している器具本体と、
前記電源穴および前記固定穴を通る仮想の第１直線により前記底部の取付面を２つの領域に区切ったとして、前記２つの領域のうち一方の領域に、長尺方向に沿って延びる中心線が前記第１直線と交差する角度で取り付けられ、前記中心線が、前記電源穴を通って前記第１直線と直交する仮想の第２直線と前記一方の領域で交差する長尺状の点灯装置と、
前記点灯装置の長尺方向の両端から前記第１直線まで垂線を引いたとして、前記２つの領域のうち前記点灯装置と同じ領域の、前記点灯装置の長尺方向の両端のうち前記垂線が長い方の端の近くに取り付けられ、前記電源線を介して供給される電力を前記点灯装置に出力する電源端子台とを備える。
【発明の効果】
【０００８】
本発明では、電源線を電源端子台に取り付けるための作業スペースを大きくとれるため、施工性および作業性が向上する。
【図面の簡単な説明】
【０００９】
【図１】実施の形態１に係る照明器具の斜視図。
【図２】実施の形態１に係る照明器具の側面図。
【図３】実施の形態１に係る照明器具の平面図。
【図４】実施の形態１に係る照明器具の分解斜視図。
【図５】実施の形態１に係る照明器具の分解斜視図。
【図６】実施の形態１に係る照明器具の横断面図。
【図７】実施の形態１に係る照明器具の横断面図およびＡ−Ａ断面図。
【図８】実施の形態１に係る照明器具の横断面図およびＢ−Ｂ断面図。
【発明を実施するための形態】
【００１０】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態は、部分的に実施されても構わない。
【００１１】
実施の形態１．
本実施の形態について、図１から図８を用いて説明する。
【００１２】
＊＊＊構成の説明＊＊＊
図１から図８を参照して、本実施の形態に係る照明器具５００の構成を説明する。
【００１３】
図１は、照明器具５００を斜め上方から見た図である。図２は、照明器具５００を側方から見た図である。図３は、照明器具５００を上方から見た図である。図４は、照明器具５００を分解して斜め上方から見た図である。図５は、照明器具５００を分解して斜め下方から見た図である。図６は、照明器具５００の横断面を示した図である。図７は、照明器具５００の横断面とＡ−Ａ線における縦断面とを示した図である。図７に示した横断面は、図６に示した横断面とは別の位置で照明器具５００を切断した断面である。図８は、照明器具５００の横断面とＢ−Ｂ線における縦断面とを示した図である。図８に示した横断面は、図７に示した横断面を左に９０度回転した断面である。
【００１４】
本実施の形態の説明において、「上方」、「下方」、「側方」、「斜め上方」および「斜め下方」といった方向は、照明器具５００が天井に取り付けられているときの方向を示している。照明器具５００は、本実施の形態では天井材に直接取り付けて使用されるが、天井の埋込穴に埋め込まれて使用されてもよいし、壁等、天井以外の被取付部に取り付けて使用されてもよい。
【００１５】
照明器具５００は、本体ユニット１００と、光源ユニット２００と、光源ユニット２００を覆うように本体ユニット１００に取り付けられる本体カバー３００とを備える。
【００１６】
本体ユニット１００は、本体部１１０と、長尺状の常用点灯装置１２０と、バッテリ１３０と、非常用点灯装置１４０と、電源端子台１５０と、点検スイッチ１６０とを備える。常用点灯装置１２０、バッテリ１３０、非常用点灯装置１４０、電源端子台１５０および点検スイッチ１６０は、本体部１１０に取り付けられる。
【００１７】
本体部１１０は、円板状の本体パッキン１１１と、本体パッキン１１１が取り付けられる筐体１１２と、筐体１１２に取り付けられ、光源ユニット２００が取り付けられる光源ユニット取付部１１３とを有する。
【００１８】
筐体１１２は、一端が開口している筒状のカバー取付部１１６と、カバー取付部１１６の他端に配置された底部１１７とを有する。カバー取付部１１６の外側は、照明器具５００の外郭を形成する。カバー取付部１１６の内側は、ねじ切り状に形成されている。
【００１９】
光源ユニット取付部１１３は、断面形状が「π」字状に形成され、底部１１７を介して本体パッキン１１１に取り付けられて本体パッキン１１１を補強する補強部１１８と、補強部１１８の両端に設けられ、光源ユニット２００が取り付けられる１対の固定部１１９とを有する。
【００２０】
本体パッキン１１１、底部１１７および補強部１１８のそれぞれの略中央には、外部からの電源線を引き込むための電源穴１１４が、本体パッキン１１１、底部１１７および補強部１１８間で連通するように形成される。本体パッキン１１１、底部１１７および補強部１１８には、天井等の被取付部にねじ等の固定具によって照明器具５００を取り付けるための固定穴１１５も、本体パッキン１１１、底部１１７および補強部１１８間で連通するように形成される。
【００２１】
なお、底部１１７は、本実施の形態ではカバー取付部１１６と一体に形成されているが、本体パッキン１１１のように、カバー取付部１１６とは別体として形成されてもよい。また、底部１１７は、カバー取付部１１６と一体に形成されるか、別体として形成されるかに関わらず、本体パッキン１１１を代替してもよい。すなわち、防湿性を考慮しなくてよい場合は、本体パッキン１１１は省略してもよい。
【００２２】
常用点灯装置１２０は、後述する光源モジュール２２０に電気的に接続されている。常用点灯装置１２０は、商用電源から電力が供給されると、光源モジュール２２０に電力を供給し、光源モジュール２２０を点灯させる。
【００２３】
バッテリ１３０は、商用電源から電力が供給されているときは非常用点灯装置１４０によって充電され、商用電源からの電力の供給が遮断されたときは非常用点灯装置１４０に電力を供給する。すなわち、バッテリ１３０は、後述する複数の発光素子２２２を点灯させるための電力を蓄積する。
【００２４】
非常用点灯装置１４０は、電源端子台１５０に電気的に接続され、電源端子台１５０を介して商用電源から給電される。非常用点灯装置１４０は、光源モジュール２２０に電気的に接続されている。非常用点灯装置１４０は、商用電源から電力が供給されると、常用点灯装置１２０に商用電源からの電力を供給するとともに、バッテリ１３０を充電し、商用電源からの給電が遮断されると、バッテリ１３０の電力で動作して、光源モジュール２２０に電力を供給し、光源モジュール２２０を点灯させる。すなわち、非常用点灯装置１４０は、バッテリ１３０に蓄積された電力により動作して複数の発光素子２２２を点灯させる。
【００２５】
電源端子台１５０には、照明器具５００の外部から引き込まれた電源線が取り付けられ、この電源線を介して商用電源から電力が供給される。電源端子台１５０は、電源線を介して供給される電力を常用点灯装置１２０に出力する。
【００２６】
点検スイッチ１６０は、非常用点灯装置１４０に電気的に接続されている。点検スイッチ１６０は、非常時の点灯動作が正常に行えるかどうかを確認するためにユーザにより操作される。
【００２７】
本体ユニット１００に内蔵されている部品の配置関係は、以下の通りである。
【００２８】
底部１１７の略中央に、光源ユニット取付部１１３が取り付けられる。光源ユニット取付部１１３を境に底部１１７の一方側に非常用点灯装置１４０とバッテリ１３０とが取り付けられ、底部１１７の他方側に電源端子台１５０と常用点灯装置１２０とが取り付けられる。
【００２９】
非常用点灯装置１４０は、バッテリ１３０と光源ユニット取付部１１３との間に挟まれるように底部１１７に取り付けられている。つまり、バッテリ１３０は、底部１１７の中心よりも外周円に近い側に配置されている。仮に底部１１７の中心に近い側にバッテリ１３０が配置されているとすると、光源ユニット取付部１１３に光源ユニット２００を取り付けた後、バッテリ１３０の交換等のメンテナンス時に、光源ユニット２００を取り外す必要がある。本実施の形態では、底部１１７の外周円に近い側にバッテリ１３０が配置されているため、光源ユニット２００を取り外さずにバッテリ１３０のメンテナンスを行うことができる。
【００３０】
常用点灯装置１２０および電源端子台１５０は、平面視で、それぞれの略矩形状の外郭の１辺が、底部１１７の円周に沿うように配置されている。つまり、常用点灯装置１２０および電源端子台１５０は、光源ユニット取付部１１３に対して、斜めに配置されている。具体的には、常用点灯装置１２０および電源端子台１５０は、光源ユニット取付部１１３の長手方向に延びる中心線Ｌ１と、常用点灯装置１２０および電源端子台１５０のそれぞれの中心線Ｌ２，Ｌ３とが交差する角度で配置されている。つまり、常用点灯装置１２０および電源端子台１５０は、光源ユニット取付部１１３に対して平行でない向きで底部１１７に配置されている。これにより、光源ユニット取付部１１３と常用点灯装置１２０と電源端子台１５０とで囲まれた空間を広く形成することができる。この空間は、電源穴１１４から引き込まれた電源線を電源端子台１５０に取り付ける際の作業スペースとして利用できるとともに、電源線を電源端子台１５０に取り付けた後、電源線を収納する収納スペースとしても利用できる。
【００３１】
なお、常用点灯装置１２０および非常用点灯装置１４０の配置は、互いに入れ替わっていても構わない。
【００３２】
光源ユニット２００は、本体部１１０に固定される第１板状部材２１０と、第１板状部材２１０に取り付けられる光源モジュール２２０と、光源モジュール２２０を覆う透光性カバー２３０と、透光性カバー２３０を第１板状部材２１０に固定する第２板状部材２４０とを備える。
【００３３】
第１板状部材２１０は、外周縁部２１１と、外周縁部２１１の内側に略正方形状に窪んで形成された光源取付部２１２とを有する。
【００３４】
外周縁部２１１は、光源ユニット取付部１１３の固定部１１９に固定される。具体的には、外周縁部２１１は、中心を挟んで離れた２箇所で光源ユニット取付部１１３の固定部１１９にねじ止めされている。
【００３５】
光源取付部２１２には、光源モジュール２２０が取り付けられる。なお、光源取付部２１２の窪みは、本実施の形態では略正方形状であるが、円形状等、光源モジュール２２０の形状に合わせて適宜変更することができる。
【００３６】
光源モジュール２２０は、略正方形板状の基板２２１と、基板２２１に取り付けられる複数の発光素子２２２とを有する。なお、発光素子２２２は、本実施の形態ではパッケージ形のＬＥＤであるが、チップオンボード形のＬＥＤ等、他の種類のＬＥＤであってもよいし、有機ＥＬ等、他の種類の固体発光素子であってもよい。また、発光素子２２２の数は、複数に限らず、１つでもよい。すなわち、照明器具５００は、少なくとも１つの発光素子２２２を備えていればよい。
【００３７】
透光性カバー２３０は、透明または乳白色の略正方形板状のガラスカバーである。なお、透光性カバー２３０は、平板状でなくてもよく、凹凸を有するような複雑な形状に加工されていても構わない。
【００３８】
透光性カバー２３０は、それぞれの発光素子２２２の発光面を覆っている。本実施の形態では、１つの透光性カバー２３０が、すべての発光素子２２２の発光面を覆っている。
【００３９】
透光性カバー２３０は、ガラス製であるので、難燃性が高い。そのため、透光性カバー２３０で光源モジュール２２０を覆うことで、火災等により照明器具５００が高温下にさらされて光源モジュール２２０が熔解するようなことがあっても、光源モジュール２２０の熔解された物質が照明器具５００の外部に漏れ出すことを透光性カバー２３０によって防止できる。
【００４０】
第２板状部材２４０は、１対の本体取付部２４１と、それら１対の本体取付部２４１の間に段差を付けて形成された内周縁部２４２とを有する。
【００４１】
それぞれの本体取付部２４１は、第１板状部材２１０の外周縁部２１１に固定される。具体的には、それぞれの本体取付部２４１は、２箇所で外周縁部２１１にねじ止めされている。つまり、本体取付部２４１は、合計４箇所で外周縁部２１１にねじ止めされている。
【００４２】
内周縁部２４２は、透光性カバー２３０を外周縁部２１１に押し付けて固定する。内周縁部２４２は、それぞれの発光素子２２２の発光面から出射される光を通すために円形状に開口されている。
【００４３】
第１板状部材２１０の外周縁部２１１、および、第２板状部材２４０の内周縁部２４２は、透光性カバー２３０を挟み込んで固定するカバー固定部２５０を形成している。
【００４４】
本体カバー３００は、光を透過する乳白色のガラスカバーである。本体カバー３００は、一端が開口したドーム形状をなしており、開口側にねじ切り加工が施されている。このねじ切り加工された部分が、筐体１１２のカバー取付部１１６にねじ込まれることで、本体カバー３００が本体ユニット１００に固定される。本実施の形態では、本体カバー３００にリング状の本体カバーパッキン３１０が取り付けられるが、防湿性を考慮しなくてよい場合は、本体カバーパッキン３１０は省略してもよい。
【００４５】
本体カバー３００は、透光性カバー２３０の、それぞれの発光素子２２２の発光面に対向する面とは反対の面を覆っている。
【００４６】
本実施の形態において、少なくともカバー取付部１１６、底部１１７、光源取付部２１２およびカバー固定部２５０は、照明器具５００の器具本体５０１を構成している。すなわち、器具本体５０１は、カバー取付部１１６と、底部１１７と、光源取付部２１２と、カバー固定部２５０とを有する。
【００４７】
カバー取付部１１６は、筒状であり、一端が開口している。カバー取付部１１６には、この開口した一端から本体カバー３００が着脱自在に取り付けられている。底部１１７は、カバー取付部１１６の他端に配置されている。光源取付部２１２には、複数の発光素子２２２が取り付けられている。カバー固定部２５０は、カバー取付部１１６および光源取付部２１２の間に配置されており、透光性カバー２３０を固定している。透光性カバー２３０は、それぞれの発光素子２２２の発光面を覆っている。このような構成により、本実施の形態では、内蔵部品のメンテナンス等のために本体カバー３００を取り外しても、透光性カバー２３０によって、ユーザがＬＥＤに触れることが阻まれる。よって、ユーザがＬＥＤに触れることに起因するＬＥＤの不具合の発生を防ぐことができる。
【００４８】
透光性カバー２３０は、ガラスで形成されている。よって、火災等により照明器具５００が高熱環境下にさらされて、ＬＥＤを構成する樹脂部品等が溶け出しても、溶け出した物質が照明器具５００の外部に漏れることを透光性カバー２３０で防止できる。
【００４９】
ＬＥＤをガラスカバーで覆うことによって、ＬＥＤを通常時および非常時の両方で使用可能な兼用型の非常用照明器具を実現することができる。また、ＬＥＤを透明なガラスカバーで覆うことによって、ＬＥＤが発する光の減衰を少なくすることができる。
【００５０】
透光性カバー２３０は、平板状に形成されている。よって、透光性カバー２３０の成形加工の手間が少なく、生産性が向上する。
【００５１】
器具本体５０１は、バッテリ収納部１３１をさらに有する。
【００５２】
バッテリ収納部１３１は、カバー取付部１１６および光源取付部２１２の間に配置されている。バッテリ収納部１３１は、バッテリ１３０の一部をカバー取付部１１６および光源取付部２１２の間の空間から突出させてバッテリ１３０を収納している。このようにバッテリ１３０を突出させて格納することで、本体カバー３００を取り外したときに、ユーザがバッテリ１３０の交換等のメンテナンスを行いやすくなる。
【００５３】
光源取付部２１２は、底部１１７から離して配置されている。バッテリ収納部１３１は、底部１１７に固定されている。器具本体５０１は、光源取付部２１２および底部１１７の間の、バッテリ収納部１３１に隣接する位置に非常用点灯装置１４０を収納している。このような構成により、本実施の形態では、光源取付部２１２および底部１１７の間のスペースを有効活用しながら、非常用点灯装置１４０を電気接続先であるバッテリ１３０の近傍に配置することができる。
【００５４】
カバー固定部２５０は、窪みのある第１板状部材２１０の窪みの周りの部分と、開口のある第２板状部材２４０の開口の周りの部分とによって形成されている。光源取付部２１２は、第１板状部材２１０の窪みのある部分によって形成されている。器具本体５０１は、第１板状部材２１０の窪みの周りの部分と、第２板状部材２４０の開口の周りの部分とによって透光性カバー２３０を挟み込むことで、透光性カバー２３０を固定している。このような構成により、本実施の形態では、複数の発光素子２２２の全体を透光性カバー２３０で隙間なく覆うことができるため、前述したように、ＬＥＤを構成する樹脂部品等が溶け出しても、溶け出した物質が照明器具５００の外部に漏れることを確実に防止できる。
【００５５】
本実施の形態では、バッテリ１３０と非常用点灯装置１４０とを含む電子部品群が底部１１７に取り付けられている。本体カバー３００は、カバー取付部１１６の一端からカバー取付部１１６にねじ込まれ、底部１１７に近い方の端部３０１が上記電子部品群を囲んでいる。すなわち、器具本体５０１に本体カバー３００が取り付けられた状態において、本体カバー３００の端部３０１は、上記電子部品群の側方の位置に配置されている。このような構成により、本実施の形態では、本体カバー３００を器具本体５０１に取り付けた状態において、非常用照明器具である照明器具５００の高さを低くすることができる。
【００５６】
なお、本実施の形態では、バッテリ１３０および非常用点灯装置１４０だけでなく、常用点灯装置１２０、電源端子台１５０および点検スイッチ１６０も、上記電子部品群に含まれる。
【００５７】
底部１１７と本体カバー３００の底部１１７に近い方の端部３０１との距離Ｄ１は、非常用点灯装置１４０の底部１１７からの高さ寸法Ｄ２の半分以下であることが望ましい。すなわち、Ｄ１≦Ｄ２／２であることが望ましい。Ｄ１≦Ｄ２／１０であることがより望ましい。
【００５８】
照明器具５００は、電源線により外部の電源に電気接続された状態、かつ、固定具により外部の部材に固定された状態で使用される。外部の電源は、任意の電源でよいが、本実施の形態では商用電源である。外部の部材は、任意の部材でよいが、本実施の形態では天井材である。
【００５９】
底部１１７には、常用点灯装置１２０、バッテリ１３０、非常用点灯装置１４０、電源端子台１５０および点検スイッチ１６０といった部品を取り付けるための取付面１７０が形成されている。電源線を引き込むための電源穴１１４、および、固定具を挿し込むための固定穴１１５は、底部１１７の取付面１７０に貫通している。本実施の形態では、電源穴１１４は、本体パッキン１１１と底部１１７と補強部１１８とを貫通し、互いに連通する３つの穴からなる。固定穴１１５は、電源穴１１４を挟んで離れた２箇所に形成されている。それぞれの固定穴１１５は、電源穴１１４と同様に、本体パッキン１１１と底部１１７と補強部１１８とを貫通し、互いに連通する３つの穴からなる。
【００６０】
電源穴１１４および固定穴１１５を通る仮想の第１直線Ｌ１により底部１１７の取付面１７０を２つの領域Ａ１，Ａ２に区切ったとする。常用点灯装置１２０の長尺方向の両端から第１直線Ｌ１まで垂線Ｌ４，Ｌ５を引いたとする。
【００６１】
常用点灯装置１２０は、２つの領域Ａ１，Ａ２のうち一方の領域Ａ１に、常用点灯装置１２０の長尺方向に沿って延びる中心線Ｌ２が第１直線Ｌ１と交差する角度で取り付けられている。中心線Ｌ２は、電源穴１１４を通って第１直線Ｌ１と直交する仮想の第２直線Ｌ６と領域Ａ１で交差するものとする。
【００６２】
電源端子台１５０は、２つの領域Ａ１，Ａ２のうち常用点灯装置１２０と同じ領域Ａ１の、常用点灯装置１２０の長尺方向の両端のうち垂線が長い方の端の近くに取り付けられている。本実施の形態では、電源端子台１５０は、常用点灯装置１２０の垂線Ｌ４に対応する端よりも垂線Ｌ５に対応する端に近い位置に取り付けられている。
【００６３】
上記のような構成により、本実施の形態では、電源穴１１４と常用点灯装置１２０と電源端子台１５０とを離れた位置に配置することができるので、電源線を電源端子台１５０に取り付けるための作業スペースを確保でき、作業性が向上する。また、この作業スペースを電源端子台１５０に取り付けた電源線を格納する格納スペースとして利用することができる。
【００６４】
底部１１７の取付面１７０は、円形状に形成されている。電源穴１１４は、底部１１７の取付面１７０の中心に貫通している。本実施の形態では、電源穴１１４は、本体パッキン１１１と底部１１７と補強部１１８とのそれぞれの中心に形成された３つの穴からなる。それぞれの固定穴１１５は、本体パッキン１１１と底部１１７と補強部１１８とのそれぞれの対応する箇所に形成された３つの穴からなる。
【００６５】
底部１１７の取付面１７０において、電源端子台１５０の中心は、第１直線Ｌ１と中心線Ｌ２と垂線Ｌ４，Ｌ５とによって形成される矩形領域の外にあることが望ましい。電源端子台１５０を底部１１７の取付面１７０の外周縁に近い位置に配置することで、前述した作業スペースを広くとることができる。
【００６６】
＊＊＊実施の形態の効果の説明＊＊＊
本実施の形態では、本体カバー３００を取り外してもユーザが発光素子２２２に触れられないため、発光素子２２２の不具合が発生しにくくなる。
【００６７】
本実施の形態では、非常用照明器具としての機能を確保しつつ、照明器具５００の高さを低くすることができる。
【００６８】
本実施の形態では、電源線を電源端子台１５０に取り付けるための作業スペースを大きくとれるため、施工性および作業性が向上する。
【００６９】
本実施の形態では、常用光源および非常用光源として光源モジュール２２０を共用するとともに、透光性カバー２３０を固定するためのカバー固定部２５０を形成する第１板状部材２１０および第２板状部材２４０の組み合わせの一部に光源モジュール２２０を配置することで、部品点数を少なくすることができる。その結果、照明器具５００の構造がシンプルになる。
【００７０】
ＬＥＤ光源を非常用光源として使用する場合、主要部材に不燃材を使用するという基準がある。ＬＥＤパッケージの保護のためのカバーも必要となる。本実施の形態では、透光性カバー２３０としてガラスカバーを採用することで、基準を満たし、かつ、ＬＥＤパッケージの保護も可能となる。
【００７１】
本実施の形態では、底部１１７に取り付けられている電子部品のうち、バッテリ１３０の一部が他の電子部品よりも底部１１７と反対側に突き出しているため、バッテリ１３０の交換が容易である。
【００７２】
本実施の形態では、本体カバー３００の端部３０１を、電子部品群の底部１１７からの高さ方向において低い位置に配置することで、本体カバー３００の側面部を大きくすることができ、ＬＥＤから出る光の角度が浅くなるため、広がりのある光が得られる。照明器具５００を、部屋の壁に取り付けて使用するブラケットとして設置する場合には、床面側の明るさを確保しやすくなる。
【００７３】
本実施の形態では、底部１１７の中央の電源穴１１４から引き込まれて電源端子台１５０に接続されるケーブルを取り扱うスペースを広めにとることができるため、電気工事を実施しやすくなる。
【００７４】
＊＊＊他の構成＊＊＊
本実施の形態では、第２板状部材２４０が光源ユニット２００の一部として設けられているが、第２板状部材２４０は、本体ユニット１００の一部として設けられていてもよい。具体的には、第２板状部材２４０は、筐体１１２のカバー取付部１１６と一体に形成されていてもよい。その場合、第２板状部材２４０には、バッテリ１３０の、カバー取付部１１６および光源取付部２１２の間の空間から突出する部分を貫通させるための貫通孔が形成されていることが望ましい。
【符号の説明】
【００７５】
１００  本体ユニット、１１０  本体部、１１１  本体パッキン、１１２  筐体、１１３  光源ユニット取付部、１１４  電源穴、１１５  固定穴、１１６  カバー取付部、１１７  底部、１１８  補強部、１１９  固定部、１２０  常用点灯装置、１３０  バッテリ、１３１  バッテリ収納部、１４０  非常用点灯装置、１５０  電源端子台、１６０  点検スイッチ、１７０  取付面、２００  光源ユニット、２１０  第１板状部材、２１１  外周縁部、２１２  光源取付部、２２０  光源モジュール、２２１  基板、２２２  発光素子、２３０  透光性カバー、２４０  第２板状部材、２４１  本体取付部、２４２  内周縁部、２５０  カバー固定部、３００  本体カバー、３０１  端部、３１０  本体カバーパッキン、５００  照明器具、５０１  器具本体。
【図１】
2019003748.tif 000003
【図２】
2019003748.tif 000004
【図３】
2019003748.tif 000005
【図４】
2019003748.tif 000006
【図５】
2019003748.tif 000007
【図６】
2019003748.tif 000008
【図７】
2019003748.tif 000009
【図８】
2019003748.tif 000010